(57)【要約】【課題】構造の簡略化を図りつつ、防汚作用をより効果的に発揮することができる防汚流路体を提供する。【解決手段】防汚流路体としてのトラップ２０は、透光部２１と紫外線光源としてのＵＶ−ＬＥＤ２２とを備える。  透光部２１は、紫外線を透光可能な透光性材料によって形成され、内周面２１ａが紫外線を出射可能であるとともに、下流に向けて排水を流すＳ状にカーブした流路とされている。ＵＶ−ＬＥＤ２２は、透光部２１に一体に設けられ、紫外線を透光部２１内に入射可能とされている。透光部２１の内周面２１ａには、紫外線を透光可能であるとともに光触媒を含む防汚層２１ｃが形成されている。他方、透光部２１の外周面には、紫外線を反射する反射層２１ｂが形成されている。【選択図】図１
2007023683.tif 000002
【特許請求の範囲】
【請求項１】
紫外線を透光可能な透光性材料によって形成され、内周面が該紫外線を出射可能であるとともに気体又は液体を流す流路とされた透光部と、
該透光部に一体に設けられ、該紫外線を該透光部内に入射可能な紫外線光源とを備えていることを特徴とする防汚流路体。
【請求項２】
前記内周面には前記紫外線を透光可能であるとともに光触媒を含む防汚層が形成されている請求項１記載の防汚流路体。
【請求項３】
前記透光部の外周面には前記紫外線を反射する反射層が形成されている請求項１又は２記載の防汚流路体。
【請求項４】
鉢面及び該鉢面に封水を形成するトラップをもつ洋風便器本体と、該トラップに接続された排水ソケットとを備えた洋風便器において、
前記トラップ及び前記排水ソケットの少なくとも一方は請求項１乃至３のいずれか１項記載の防汚流路体であり、該防汚流路体は、前記封水の水位が下がる時、前記紫外線を照射可能であることを特徴とする洋風便器。
【発明の詳細な説明】
【技術分野】
【０００１】
本発明は防汚流路体及び洋風便器に関する。
【背景技術】
【０００２】
特許文献１の図４に従来の防汚流路体が開示されている。この防汚流路体は、洗面器に設けられたトラップである。このトラップは、洗面器の排水口から下流に向けて排水を流すＳ状にカーブした流路と、流路のうちのカーブした部位の内側に設けられ、流路の内周面に紫外線を照射可能な紫外線光源とを備えている。
【０００３】
このような構成である従来の防汚流路体では、紫外線光源から紫外線が周囲に広がりつつ照射されて、流路の内周面に当たる。このため、紫外線が当たった流路の内周面では、紫外線の殺菌作用により雑菌の繁殖が抑制される。こうして、この防汚流路体は、流路及び流路内の気体又は液体に対する防汚作用を発揮することが可能となっている。
【０００４】
【特許文献１】特開２００１−１１２８５５号公報
【発明の開示】
【発明が解決しようとする課題】
【０００５】
しかし、上記従来の防汚流路体では、紫外線光源の設置場所によって、流路の内周面に紫外線がよく当たる場所と、あまり当たらない場所とができてしまい、紫外線による防汚作用も、場所によって大きな差が生じてしまっていた。そのような事態を解消するためには、例えば、紫外線光源を多数設置しなければならず、防汚流路体の構造の簡略化が難しかった。
【０００６】
本発明は、上記従来の実情に鑑みてなされたものであって、構造の簡略化を図りつつ、防汚作用をより効果的に発揮することができる防汚流路体を提供することを解決すべき課題としている。
【課題を解決するための手段】
【０００７】
本発明の防汚流路体は、紫外線を透光可能な透光性材料によって形成され、内周面が該紫外線を出射可能であるとともに気体又は液体を流す流路とされた透光部と、
該透光部に一体に設けられ、該紫外線を該透光部内に入射可能な紫外線光源とを備えていることを特徴とする。
【０００８】
このような構成である本発明の防汚流路体において、透光部に一体に設けられた紫外線光源から透光部内に入射される紫外線は、透光部内を拡がりつつ進行し、透光部の内周面の広い範囲から出射されることとなる。このため、紫外線が出射される内周面では、紫外線の殺菌作用により雑菌の繁殖が抑制され、その結果として、この防汚流路体は、内周面の広い範囲において防汚作用をより効果的に発揮することができる。このため、この防汚流路体は、紫外線による防汚作用が場所によって大きな差が生じてしまうという従来の防汚流路体の不具合を抑制することができる。また、この防汚流路体は、そのために必ずしも多数の紫外線光源を設ける必要がないので、構造の簡略化を図ることができる。
【０００９】
したがって、本発明の防汚流路体は、構造の簡略化を図りつつ、防汚作用をより効果的に発揮することができる。
【００１０】
透光性材料といては、無機ガラスや、シリコーン樹脂、ポリカーボネート樹脂、エポキシ樹脂、アクリル樹脂、その他の透明樹脂等を採用することができる。
【００１１】
紫外線光源としては、紫外線ランプ、紫外線ＬＥＤその他の一般的な紫外線光源を採用することができる。また、紫外線（波長が約３００〜４００ｎｍ）を含む光線を照射する白熱電球、蛍光灯、水銀ランプ等の光源を採用することもできる。紫外線は、後述する光触媒を効果的に励起可能な３８０ｎｍの波長のものであることが好ましい。紫外線照射装置の小型化、省電力化、耐久性のためには紫外線ＬＥＤを採用することが好ましい。
【００１２】
本発明の防汚流路体において、前記内周面には前記紫外線を透光可能であるとともに光触媒を含む防汚層が形成されていることが好ましい。
【００１３】
この場合、内周面から出射される紫外線は、内周面に形成された光触媒を含む防汚層にも照射されることとなる。このため、この防汚流路体では、防汚層の光触媒の活性が上がり、内周面に付着する臭気成分や汚れ成分をより効果的に分解することができる。その結果、この防汚流路体は、より高い防汚作用が発揮することができる。
【００１４】
本発明の防汚流路体において、前記透光部の外周面には前記紫外線を反射する反射層が形成されていることが好ましい。
【００１５】
この場合、透光部に一体に設けられた紫外線光源から透光部内に入射される紫外線は、透光部内を拡がりつつ進行する際、外周面に形成された反射層によって反射され、内周面のさらに広い範囲から出射されることとなる。また、反射層により、外周面の外側へ無駄に出射される紫外線がなくなる。このため、この防汚流路体は、紫外線光源から照射される紫外線を内周面のさらに広い範囲から無駄なく出射させることができ、本発明の効果をより確実に奏することができる。
【００１６】
本発明の防路流路体は、洋風便器に適用し得る。すなわち、本発明の洋風便器は、鉢面及び該鉢面に封水を形成するトラップをもつ洋風便器本体と、該トラップに接続された排水ソケットとを備えた洋風便器において、
前記トラップ及び前記排水ソケットの少なくとも一方は上述した本発明の防汚流路体のいずれかであり、該防汚流路体は、前記封水の水位が下がる時、前記紫外線を照射可能であることを特徴とする。
【００１７】
このような構成である本発明の洋風便器では、封水により紫外線の照射が不十分となり易いトラップ及び排水ソケットの少なくとも一方の内周面にも、封水の水位が下がる時を有効に利用して、紫外線を確実に照射することができる。このため、この洋風便器は、トラップ及び排水ソケットの少なくとも一方について、本発明の効果を確実に奏することができる。
【発明を実施するための最良の形態】
【００１８】
以下、本発明を具体化した実施例１、２を図面を参照しつつ説明する。
【実施例１】
【００１９】
図１に示すように、実施例１の防汚流路体は、トラップ２０として洋風便器１０に適用されるものである。洋風便器１０は、鉢面１１ａ及び鉢面１１ａに封水１２を形成するトラップ２０をもつ洋風便器本体１１と、トラップ２０に接続された排水ソケット１３とを備えている。
【００２０】
トラップ２０は、下流に向けて排水を流すＳ状にカーブした流路とされた透光部２１と、透光部２１に一体に設けられ、紫外線を透光部２１内に入射可能な紫外線光源としてのＵＶ−ＬＥＤ２２とを備えている。
【００２１】
図２に拡大して示すように、透光部２１は、紫外線を透光可能な透光性材料であるエポキシ樹脂によって形成され、内周面２１ａが紫外線を出射可能とされている。透光部２１の内周面２１ａには、紫外線を透光可能であるとともに光触媒を含む防汚層２１ｃが形成されている。他方、透光部２１の外周面には、紫外線を反射する反射層２１ｂが形成されている。
【００２２】
ＵＶ−ＬＥＤ２２は、トラップ２０の底側に設けられており、発光する部分が透光部２１に埋設された状態とされている。また、ＵＶ−ＬＥＤ２２は、洋風便器１０の洗浄時に封水１２の水位が下がった時や、洋風便器１０を使用していない時等の適当な機会に随時紫外線を照射可能とされている。
【００２３】
このような構成である実施例１のトラップ２０において、ＵＶ−ＬＥＤ２２から透光部２１内に入射される紫外線は、透光部２１内を拡がりつつ進行し、透光部２１の内周面２１ａの広い範囲から出射可能とされている。また、ＵＶ−ＬＥＤ２２から透光部２１内に入射される紫外線の一部は、透光部２１内を拡がりつつ進行する際、外周面に形成された反射層２１ｂによって反射され、内周面２１ｂのさらに広い範囲から出射可能とされている。さらに、反射層２１ｂにより、外周面の外側へ無駄に出射される紫外線がなくなっている。
【００２４】
このため、紫外線が出射される内周面２１ａでは、紫外線の殺菌作用により雑菌の繁殖が抑制される。その結果として、このトラップ２０は、内周面２１ａの広い範囲において防汚作用をより効果的に発揮することが実現できている。このため、このトラップ２０は、紫外線による防汚作用が場所によって大きな差が生じてしまうという従来のトラップの不具合を抑制することができている。また、このトラップ２０は、そのために必ずしも多数の紫外線光源を設ける必要がなくなっているので、構造の簡略化を図ることもできる。
【００２５】
特に、このトラップ２０では、内周面２１ａから出射される紫外線が防汚層２１ｃにも照射される。このため、このトラップ２０では、防汚層２１ｃの光触媒の活性が上がり、内周面２１ａに付着する臭気成分や汚れ成分をより効果的に分解することができる。その結果、このトラップ２０は、より高い防汚作用を発揮することができる。
【００２６】
さらに、このトラップ２０では、紫外線の一部は、透光部２１内を拡がりつつ進行する際、反射層２１ｂによって反射され、内周面２１ａのさらに広い範囲から出射されることとなっており、外周面の外側へ出射しない。このため、このトラップ２０は、紫外線を内周面２１ａから無駄なく出射させることができる。
【００２７】
したがって、実施例１のトラップ２０は、構造の簡略化を図りつつ、防汚作用をより効果的に発揮することができる。
【００２８】
また、洋風便器１０は、封水１２の水位が下がる時、ＵＶ−ＬＥＤ２２から紫外線を照射することができる。このため、封水１２により紫外線の照射が不十分となり易いトラップ２０の内周面２１ａにも、紫外線を確実に照射することができる。このため、この洋風便器１０は、高い防汚作用を発揮することができる。
【００２９】
なお、洋風便器１０において、排水ソケット１３の構成を防汚流路体としてのトラップ２０の構成と同様にした場合には、排水ソケット１３について、本発明の効果を奏することができる。
【実施例２】
【００３０】
図３に示すように、実施例２の防汚流路体は、局部洗浄装置３０に適用されるものである。防汚流路体としての局部洗浄装置３０は、温水タンク３１、切替弁３２、ノズルシリンダ３３及びノズル３４を備えている。
【００３１】
局部洗浄装置３０において、温水タンク３１、切替弁３２、ノズルシリンダ３３及びノズル３４の各筐体は、局部洗浄用の温水を流す流路とされた透光部とされている。また、局部洗浄装置３０は、温水タンク３１、切替弁３２、ノズルシリンダ３３及びノズル３４の各筐体に一体に設けられ、紫外線を各筐体内に入射可能な紫外線光源としてのＵＶ−ＬＥＤ３５を備えている。
【００３２】
ＵＶ−ＬＥＤ３５は、実施例１において説明したＵＶ−ＬＥＤ２２の透光部２１への設置構成と同様の構成により、温水タンク３１、切替弁３２、ノズルシリンダ３３及びノズル３４の各筐体に一体に設けられている。他の構成は実施例１と同様である。このため、同一の構成については、同一の符号を付し詳細な説明は省略する。
【００３３】
このような構成である実施例２の局部洗浄装置３０において、透光部としての各筐体に一体に設けられたＵＶ−ＬＥＤ３５から各筐体内に入射される紫外線は、各筐体内を拡がりつつ進行し、各筐体の内周面２１ａの広い範囲から出射される。ＵＶ−ＬＥＤ３５から各筐体内に入射される紫外線の一部は、各筐体内を拡がりつつ進行する際、反射層２１ｂによって反射され、各筐体の内周面２１ａのさらに広い範囲から出射される。さらに、反射層２１ｂにより、各筐体の外周面の外側へ無駄に出射される紫外線がなくなる。
【００３４】
このため、紫外線が出射される各筐体の内周面２１ａでは、紫外線の殺菌作用により雑菌の繁殖が抑制される。その結果として、この局部洗浄装置３０は、各筐体の内周面２１ａの広い範囲において、防汚作用をより効果的に発揮することが実現できる。
【００３５】
したがって、実施例２の局部洗浄装置３０も、実施例１のトラップ２０と同様に、本発明の作用効果を奏することができる。
【００３６】
以上において、本発明を実施例１、２に即して説明したが、本発明は上記実施例１、２に制限されるものではなく、その趣旨を逸脱しない範囲で適宜変更して適用できることはいうまでもない。
【００３７】
例えば、紫外線光源の設置個数や設置場所に関しては、防汚流路体の大きさや形状にあわせて適宜変更することが可能である。
【産業上の利用可能性】
【００３８】
本発明はトラップ、局部洗浄装置その他の防汚流路体及び洋風便器に利用可能である。
【図面の簡単な説明】
【００３９】
【図１】実施例１の洋風便器の概略断面図である。
【図２】実施例１の洋風便器に係り、図１のＺ部を示す要部拡大断面図である。
【図３】実施例２の局部洗浄装置の概略斜視図である。
【符号の説明】
【００４０】
１０…洋風便器
１１…洋風便器本体
１１ａ…鉢面
１２…封水
１３…排水ソケット
２０、３０…防汚流路体（２０…トラップ、３０…局部洗浄装置）
２１…透光部
２１ａ…内周面
２１ｂ…反射層
２１ｃ…防汚層
２２、３５…紫外線光源（ＵＶ−ＬＥＤ）
【図１】
2007023683.tif 000003
【図２】
2007023683.tif 000004
【図３】
2007023683.tif 000005